(57)【要約】【課題】コンテンツ再生システム、及びコンテンツ再生装置において、再生が停止されたコンテンツを、別のコンテンツ再生装置を用いて前回の再生停止位置から再生するとき、ユーザがコンテンツの再生を行う際の手間を軽減すると共に、複数のユーザに共用されているコンテンツ再生装置においてコンテンツ再生を排他的に制御する。【解決手段】コンテンツ再生装置は、カメラがユーザの顔を撮影すると（Ｓ１１）、ＤＭＳからユーザ情報を受信し（Ｓ１２）、ユーザ情報に含まれる各ユーザの顔画像とカメラにより撮影されたユーザの顔画像に基いてユーザを照合し（Ｓ１３）、照合したユーザの中から優先順位の最も高いユーザを判断し（Ｓ１４）、このユーザについてのコンテンツ情報とコンテンツとをＤＭＳから受信する（Ｓ１５）。そして、コンテンツ情報に含まれる再生停止位置情報に基いて、コンテンツを前回の再生停止位置から再生する（Ｓ１６）。【選択図】図９
2007288556.tif 000002
【特許請求の範囲】
【請求項１】
動画等のコンテンツデータ（以下、コンテンツという）を記録可能なサーバと、前記コンテンツの再生が可能なコンテンツ再生装置とを含み、
前記サーバは、
前記コンテンツが記録された記録媒体と、
前記記録媒体に記録されたコンテンツを前記コンテンツ再生装置に送信する送信手段とを備え、
前記コンテンツ再生装置は、
前記サーバから前記コンテンツを受信するための受信手段と、
前記受信手段が受信した前記コンテンツを再生する再生手段と、
前記再生手段から出力された映像信号に基づく映像を表示する映像表示手段と、
前記再生手段から出力された音声信号に基づく音声を出力する音声出力手段と、
装置各部を制御する制御手段とを備えたコンテンツ再生システムにおいて、
前記サーバの前記記録媒体は、各ユーザが視聴しているコンテンツを識別するためのＩＤ情報とこのコンテンツの再生停止位置情報とを含むコンテンツ情報と、各ユーザの顔画像とこれらの顔画像に対応した各ユーザの識別情報とを含むユーザ情報とを記録しており、
前記サーバの前記送信手段は、前記コンテンツに加えて、前記コンテンツ情報と前記ユーザ情報とを前記コンテンツ再生装置に送信し、
前記コンテンツ再生装置は、
各ユーザについてのコンテンツ再生の優先順位を示す優先順位情報が記録された記録手段と、
ユーザの顔を撮影するためのカメラと、
前記カメラにより撮影されたユーザの顔画像と前記ユーザ情報に含まれる各ユーザの顔画像とを対応させてユーザの照合を行うユーザ照合手段と、
前記ユーザ照合手段による照合が済んだユーザの中から、前記優先順位情報に基いて優先順位の最も高いユーザを判断する優先順位判断手段と、
前記カメラの撮影可能範囲からユーザが消えたときに、ユーザが移動したことを検知する移動検知手段と、
ユーザが視聴していたコンテンツについての前記コンテンツ情報を生成するコンテンツ情報生成手段と、
前記サーバに、前記コンテンツ情報生成手段により生成された前記コンテンツ情報を送信するコンテンツ情報送信手段とをさらに備え、
前記受信手段は、前記コンテンツに加えて、前記ユーザ情報と前記コンテンツ情報とを前記サーバから受信し、
前記制御手段は、
前記移動検知手段を用いてユーザが移動したことを検知したときに、このコンテンツの再生を停止すると共に、前記コンテンツ情報生成手段を用いて、このユーザが視聴していたコンテンツについてのＩＤ情報とこのコンテンツの再生停止位置情報とを含む前記コンテンツ情報を生成した後、このコンテンツ情報を前記コンテンツ情報送信手段を用いて前記サーバに送信し、
前記カメラがユーザの顔を撮影したとき、前記受信手段により受信したユーザ情報に含まれる各ユーザの顔画像と前記カメラにより撮影されたユーザの顔画像とに基いて、前記ユーザ照合手段によりユーザを照合し、この照合が終了したユーザの中から、前記優先順位判断手段を用いて、優先順位の最も高いユーザを判断し、
この判断の結果、前記優先順位の最も高いユーザについての前記コンテンツ情報と、このコンテンツ情報に対応する前記コンテンツとを、前記受信手段を用いて前記サーバから受信し、受信した前記コンテンツと前記コンテンツ情報に含まれる再生停止位置情報とに基いて、前記再生手段を用いて該コンテンツの再生停止位置から該コンテンツを再生することを特徴とするコンテンツ再生システム。
【請求項２】
動画等のコンテンツデータ（以下、コンテンツという）が記録された記録媒体を有するサーバとネットワークを介して接続され、
前記サーバから前記コンテンツを受信するための受信手段と、
前記受信手段が受信した前記コンテンツを再生する再生手段と、
装置各部を制御する制御手段とを備えたコンテンツ再生装置において、
前記サーバの前記記録媒体は、各ユーザが視聴しているコンテンツを識別するためのＩＤ情報とこのコンテンツの再生停止位置情報とを含むコンテンツ情報と、各ユーザの顔画像とこれらの顔画像に対応した各ユーザの識別情報とを含むユーザ情報とを記録しており、
前記コンテンツ再生装置は、
各ユーザについてのコンテンツ再生の優先順位を示す優先順位情報が記録された記録手段と、
ユーザの顔を撮影するためのカメラと、
前記カメラにより撮影されたユーザの顔画像と前記ユーザ情報に含まれる各ユーザの顔画像とを対応させてユーザの照合を行うユーザ照合手段と、
前記ユーザ照合手段による照合が済んだユーザの中から、前記優先順位情報に基いて優先順位の最も高いユーザを判断する優先順位判断手段とをさらに備え、
前記受信手段は、前記コンテンツに加えて、前記ユーザ情報と前記コンテンツ情報とを前記サーバから受信し、
前記制御手段は、
前記カメラがユーザの顔を撮影したとき、前記受信手段により受信したユーザ情報に含まれる各ユーザの顔画像と前記カメラにより撮影されたユーザの顔画像とに基いて、前記ユーザ照合手段によりユーザを照合し、この照合が終了したユーザの中から、前記優先順位判断手段を用いて、優先順位の最も高いユーザを判断し、
この判断の結果、前記優先順位の最も高いユーザの前記コンテンツ情報とこのコンテンツ情報に対応するコンテンツとを、前記受信手段を用いて前記サーバから受信し、受信した前記コンテンツと前記コンテンツ情報に含まれる再生停止位置情報に基いて、前記再生手段を用いて該コンテンツの再生停止位置から該コンテンツを再生することを特徴とするコンテンツ再生装置。
【請求項３】
前記カメラの撮影可能範囲からユーザが消えたときに、ユーザが移動したことを検知する移動検知手段と、
ユーザが視聴していたコンテンツについての前記コンテンツ情報を生成するコンテンツ情報生成手段と、
前記コンテンツ情報生成手段により生成された前記コンテンツ情報を前記サーバに送信するコンテンツ情報送信手段とをさらに備え、
前記制御手段は、
前記移動検知手段を用いてユーザが移動したことを検知したときに、このコンテンツの再生を停止すると共に、前記コンテンツ情報生成手段を用いて、このユーザが視聴していたコンテンツについてのＩＤ情報とこのコンテンツの再生停止位置情報とを含む前記コンテンツ情報を生成した後、このコンテンツ情報を、前記コンテンツ情報送信手段を用いて前記サーバに送信することを特徴とする請求項２に記載のコンテンツ再生装置。
【発明の詳細な説明】
【技術分野】
【０００１】
本発明は、コンテンツ再生システム、及びコンテンツ再生装置に関し、特にコンテンツの再生技術に関する。
【背景技術】
【０００２】
従来から、動画等のコンテンツデータ（以下、コンテンツという）を再生するハードディスクレコーダ等のコンテンツ再生装置（例えば、ＤＭＰ（Ｄｉｇｉｔａｌ  Ｍｅｄｉａ  Ｐｌａｙｅｒ））が知られている。また、ユーザがＤＭＰを複数台所持し、各部屋に設置することは珍しくなくなっている。
【０００３】
また、ＤＭＰのそれぞれは、コンテンツを提供するサーバ（ＤＭＳ（Ｄｉｇｉｔａｌ  Ｍｅｄｉａ  Ｓｅｒｖｅｒ））に接続されている。ＤＭＰがＤＭＳからコンテンツを受信することにより、ユーザはＤＭＳに接続されているＤＭＰのいずれを用いても、同じコンテンツを視聴することができる。
【０００４】
しかし、例えば、ユーザが、書斎のＤＭＰを用いてコンテンツを再生して視聴しているときに、リビングへ移動し、リビングのＤＭＰを用いて同じコンテンツの続きを視聴したいことがある。このとき、ユーザは同じコンテンツを続きから再生し直すために、リビングのＤＭＰの操作部を操作する必要がある。また、この操作は、ユーザが別のＤＭＰを用いて同じコンテンツの続きを再生する毎に行う必要がある。そのため、ユーザにとって手間がかかるという問題がある。また、複数のユーザにより共用されているＤＭＰを用いてコンテンツを続きから再生する場合、複数のユーザのそれぞれがコンテンツを続きから再生しようとすると、コンテンツの再生処理が競合してしまう。そのため、複数のユーザにより使用されているＤＭＰにおいて、コンテンツの再生を排他的に制御したいという要望がある。
【０００５】
これに対して、特許文献１の発明は、ＤＭＰが自動車に、ＤＭＳが自宅に設置され、ＤＭＰがコンテンツをどこまで再生したか特定するための情報である途中情報をホームサーバに送信し、ＤＭＳが受信した途中情報に基いてコンテンツを途中から再生するものである。
【０００６】
また、特許文献２の発明は、コンテンツと、コンテンツに対して設定されたしおり情報とが記録されたＤＭＳを備え、しおり情報はユーザが視聴しているコンテンツの再生停止位置などの情報を有しているものである。上記のＤＭＳが、しおり情報とコンテンツとを別のＤＭＳに転送することにより、別の場所にあるＤＭＳに接続されたＤＭＰがしおり情報に基いて同じコンテンツの続きを再生する。
【０００７】
また、特許文献３の発明は、ユーザの移動を電子鍵カードがかざされる送受信部を通じて検知したとき、ＤＭＳがコンテンツの再生位置をハードディスクに記録し、コンテンツの再生位置からコンテンツを再生して、再生したコンテンツをユーザの移動先のＤＭＰに転送し、ユーザが移動先の部屋のＤＭＰを用いて同じコンテンツの続きを視聴可能にするものである。
【０００８】
しかし、上記特許文献１乃至特許文献３に記載された発明では、ユーザが部屋を移動することにより再生が停止されたコンテンツを別のＤＭＰを用いて再生停止位置から再生するとき、同じコンテンツを続きから再生し直すために、ＤＭＰの操作部を操作する手間を軽減することができない。また、複数のユーザに共用されているＤＭＰを用いてコンテンツを続きから再生する場合、コンテンツの再生を排他的に制御することができない。
【特許文献１】特開２００５−２６９０８８号公報
【特許文献２】特開２００５−３９６５７号公報
【特許文献３】特開２００４−８０３８２号公報
【発明の開示】
【発明が解決しようとする課題】
【０００９】
本発明は、上述した問題点を解決するためになされたものであり、ユーザが部屋を移動する前にあるコンテンツ再生装置で視聴していたコンテンツを、別のコンテンツ再生装置を用いて再生する場合に、ユーザが同じコンテンツを続きから再生を行う際の手間を軽減することができると共に、複数のユーザに共用されているコンテンツ再生装置を用いてコンテンツを続きから再生する場合に、コンテンツの再生を排他的に制御することができるコンテンツ再生システム、及びコンテンツ再生装置を提供することを目的とする。
【課題を解決するための手段】
【００１０】
上記目的を達成するために請求項１の発明は、動画等のコンテンツデータ（以下、コンテンツという）を記録可能なサーバと、前記コンテンツの再生が可能なコンテンツ再生装置とを含み、前記サーバは、前記コンテンツが記録された記録媒体と、前記記録媒体に記録されたコンテンツを前記コンテンツ再生装置に送信する送信手段とを備え、前記コンテンツ再生装置は、前記サーバから前記コンテンツを受信するための受信手段と、前記受信手段が受信した前記コンテンツを再生する再生手段と、前記再生手段から出力された映像信号に基づく映像を表示する映像表示手段と、前記再生手段から出力された音声信号に基づく音声を出力する音声出力手段と、装置各部を制御する制御手段とを備えたコンテンツ再生システムにおいて、前記サーバの前記記録媒体は、各ユーザが視聴しているコンテンツを識別するためのＩＤ情報とこのコンテンツの再生停止位置情報とを含むコンテンツ情報と、各ユーザの顔画像とこれらの顔画像に対応した各ユーザの識別情報とを含むユーザ情報とを記録しており、前記サーバの前記送信手段は、前記コンテンツに加えて、前記コンテンツ情報と前記ユーザ情報とを前記コンテンツ再生装置に送信し、前記コンテンツ再生装置は、各ユーザについてのコンテンツ再生の優先順位を示す優先順位情報が記録された記録手段と、ユーザの顔を撮影するためのカメラと、前記カメラにより撮影されたユーザの顔画像と前記ユーザ情報に含まれる各ユーザの顔画像とを対応させてユーザの照合を行うユーザ照合手段と、前記ユーザ照合手段による照合が済んだユーザの中から、前記優先順位情報に基いて優先順位の最も高いユーザを判断する優先順位判断手段と、前記カメラの撮影可能範囲からユーザが消えたときに、ユーザが移動したことを検知する移動検知手段と、ユーザが視聴していたコンテンツについての前記コンテンツ情報を生成するコンテンツ情報生成手段と、前記サーバに、前記コンテンツ情報生成手段により生成された前記コンテンツ情報を送信するコンテンツ情報送信手段とをさらに備え、前記受信手段は、前記コンテンツに加えて、前記ユーザ情報と前記コンテンツ情報とを前記サーバから受信し、前記制御手段は、前記移動検知手段を用いてユーザが移動したことを検知したときに、このコンテンツの再生を停止すると共に、前記コンテンツ情報生成手段を用いて、このユーザが視聴していたコンテンツについてのＩＤ情報とこのコンテンツの再生停止位置情報とを含む前記コンテンツ情報を生成した後、このコンテンツ情報を前記コンテンツ情報送信手段を用いて前記サーバに送信し、前記カメラがユーザの顔を撮影したとき、前記受信手段により受信したユーザ情報に含まれる各ユーザの顔画像と前記カメラにより撮影されたユーザの顔画像とに基いて、前記ユーザ照合手段によりユーザを照合し、この照合が終了したユーザの中から、前記優先順位判断手段を用いて、優先順位の最も高いユーザを判断し、この判断の結果、前記優先順位の最も高いユーザについての前記コンテンツ情報と、このコンテンツ情報に対応する前記コンテンツとを、前記受信手段を用いて前記サーバから受信し、受信した前記コンテンツと前記コンテンツ情報に含まれる再生停止位置情報とに基いて、前記再生手段を用いて該コンテンツの再生停止位置から該コンテンツを再生するものである。
【００１１】
請求項２に記載の発明は、動画等のコンテンツデータ（以下、コンテンツという）が記録された記録媒体を有するサーバとネットワークを介して接続され、前記サーバから前記コンテンツを受信するための受信手段と、前記受信手段が受信した前記コンテンツを再生する再生手段と、装置各部を制御する制御手段とを備えたコンテンツ再生装置において、前記サーバの前記記録媒体は、各ユーザが視聴しているコンテンツを識別するためのＩＤ情報とこのコンテンツの再生停止位置情報とを含むコンテンツ情報と、各ユーザの顔画像とこれらの顔画像に対応した各ユーザの識別情報とを含むユーザ情報とを記録しており、前記コンテンツ再生装置は、各ユーザについてのコンテンツ再生の優先順位を示す優先順位情報が記録された記録手段と、ユーザの顔を撮影するためのカメラと、前記カメラにより撮影されたユーザの顔画像と前記ユーザ情報に含まれる各ユーザの顔画像とを対応させてユーザの照合を行うユーザ照合手段と、前記ユーザ照合手段による照合が済んだユーザの中から、前記優先順位情報に基いて優先順位の最も高いユーザを判断する優先順位判断手段とをさらに備え、前記受信手段は、前記コンテンツに加えて、前記ユーザ情報と前記コンテンツ情報とを前記サーバから受信し、前記制御手段は、前記カメラがユーザの顔を撮影したとき、前記受信手段により受信したユーザ情報に含まれる各ユーザの顔画像と前記カメラにより撮影されたユーザの顔画像とに基いて、前記ユーザ照合手段によりユーザを照合し、この照合が終了したユーザの中から、前記優先順位判断手段を用いて、優先順位の最も高いユーザを判断し、この判断の結果、前記優先順位の最も高いユーザの前記コンテンツ情報とこのコンテンツ情報に対応するコンテンツとを、前記受信手段を用いて前記サーバから受信し、受信した前記コンテンツと前記コンテンツ情報に含まれる再生停止位置情報に基いて、前記再生手段を用いて該コンテンツの再生停止位置から該コンテンツを再生するものである。
【００１２】
請求項３に記載の発明は、請求項２に記載のコンテンツ再生装置において、前記カメラの撮影可能範囲からユーザが消えたときに、ユーザが移動したことを検知する移動検知手段と、ユーザが視聴していたコンテンツについての前記コンテンツ情報を生成するコンテンツ情報生成手段と、前記コンテンツ情報生成手段により生成された前記コンテンツ情報を前記サーバに送信するコンテンツ情報送信手段とをさらに備え、前記制御手段は、前記移動検知手段を用いてユーザが移動したことを検知したときに、このコンテンツの再生を停止すると共に、前記コンテンツ情報生成手段を用いて、このユーザが視聴していたコンテンツについてのＩＤ情報とこのコンテンツの再生停止位置情報とを含む前記コンテンツ情報を生成した後、このコンテンツ情報を、前記コンテンツ情報送信手段を用いて前記サーバに送信するものである。
【発明の効果】
【００１３】
請求項１に記載の発明によれば、ユーザが移動したことを検知したときに、ユーザが視聴していたコンテンツの再生を停止すると共に、このコンテンツについてのコンテンツ情報を生成した後、このコンテンツ情報をサーバに送信する。これにより、ユーザが部屋を移動することにより再生を停止されたコンテンツを、別のコンテンツ再生装置を用いて再生停止位置から再生するとき、別のコンテンツ再生装置が、このコンテンツを識別するためのＩＤ情報とこのコンテンツの再生停止位置情報とを含むコンテンツ情報をサーバから受信することにより、同じコンテンツを続きから再生することができる。そのため、ユーザは、別のコンテンツ再生装置を用いて同じコンテンツを続きから再生する際の手間を軽減することができる。
【００１４】
また、サーバから受信した各ユーザの顔画像とカメラにより撮影されたユーザの顔画像とに基いてユーザを照合し、この照合が終了したユーザの中から、優先順位の最も高いユーザを判断する。そして、この判断の結果、優先順位の最も高いユーザのコンテンツ情報とこのコンテンツ情報に対応するコンテンツとをサーバから受信して、前回のコンテンツの再生停止位置からコンテンツを再生する。これにより、複数のユーザに共用されているコンテンツ再生装置を用いてコンテンツを続きから再生する場合に、コンテンツの再生を排他的に制御することができる。
【００１５】
請求項２に記載の発明によれば、サーバから受信した各ユーザの顔画像とカメラにより撮影されたユーザの顔画像とに基いてユーザを照合し、この照合が終了したユーザの中から、優先順位の最も高いユーザを判断する。そして、この判断の結果、優先順位の最も高いユーザのコンテンツ情報とこのコンテンツ情報に対応するコンテンツとをサーバから受信して、前回のコンテンツの再生停止位置からコンテンツを再生する。これにより、複数のユーザに共用されているコンテンツ再生装置を用いてコンテンツを続きから再生する場合に、コンテンツの再生を排他的に制御することができる。
【００１６】
請求項３に記載の発明によれば、ユーザが移動したことを検知したときに、ユーザが再生していたコンテンツの再生を停止すると共に、このコンテンツについてのコンテンツ情報を生成した後、このコンテンツ情報をサーバに送信する。これにより、ユーザが部屋を移動することにより再生を停止されたコンテンツを、別のコンテンツ再生装置を用いて再生停止位置から再生するとき、別のコンテンツ再生装置が、このコンテンツを識別するためのＩＤ情報とこのコンテンツの再生停止位置情報とを含むコンテンツ情報をサーバから受信することにより、同じコンテンツを続きから再生することができる。そのため、ユーザは、別のコンテンツ再生装置を用いて同じコンテンツを続きから再生する際の手間を軽減することができる。
【発明を実施するための最良の形態】
【００１７】
以下、本発明の一実施形態に係るコンテンツ再生システム、及びコンテンツ再生装置について、図１乃至図４を参照して説明する。図１は、動画等のコンテンツデータ（以下、コンテンツという）を記録可能なＤＭＳ３（Ｄｉｇｉｔａｌ  Ｍｅｄｉａ  Ｓｅｒｖｅｒ；請求項におけるサーバ）と、コンテンツの再生が可能なＤＭＰ１ａ、１ｂ（Ｄｉｇｉｔａｌ  Ｍｅｄｉａ  Ｐｌａｙｅｒ；請求項におけるコンテンツ再生装置）とから構成されるコンテンツ再生システムを示す。図２はＤＭＳ３の内部構成を示し、図３はＤＭＰ１ａの内部構成を示し、図４はＤＭＰ１ｂの内部構成を示す。ＤＭＳ３、及びＤＭＰ１ａ、１ｂは、それぞれネットワークケーブル２を介して相互に接続されている。ＤＭＰ１ａはユーザの顔を撮影するためのカメラ４を備えている。一方、ＤＭＰ１ｂはカメラを備えていない。
【００１８】
ＤＭＳ３は、図２に示すように、コンテンツが記録されたハードディスク３２（以下、ＨＤＤという；請求項における記録媒体）と、ＤＭＰ１ａ、１ｂに対して、コンテンツ等のデータの送受信を行うためのネットワークインタフェース３３（送信手段）と、ＤＭＳ３への各種の指示操作を行うための操作部３１と、装置各部を制御する制御部３４と、制御部３４の動作プログラムを格納するＲＯＭ３５とを備える。また、ＨＤＤ３２は、各ユーザが視聴しているコンテンツを識別するためのＩＤ情報とこのコンテンツの前回の再生停止位置情報とを含むコンテンツ情報と、各ユーザの顔画像とこれらの顔画像に対応した各ユーザの識別情報とを含むユーザ情報とを記録している。ネットワークインタフェース３３は、コンテンツに加えて、コンテンツ情報とユーザ情報とをＤＭＰ１ａ、１ｂに送信する。
【００１９】
ＤＭＰ１ａは、図３に示すように、ユーザの顔を撮影するためのカメラ４と、ＤＭＳ３からコンテンツに加えてユーザ情報とコンテンツ情報とを受信し、ＤＭＳ３にコンテンツ情報を送信するためのネットワークインタフェース１３（コンテンツ情報送信手段、受信手段）と、各ユーザについてのコンテンツ再生の優先順位を示す優先順位情報が記録されたＨＤＤ１８（記録手段）と、装置各部を制御する制御用マイコン１６（制御手段）と、制御用マイコン１６の動作プログラムを格納するＲＯＭ１７と、電源のオン／オフ状態を制御する電源部１４とを備える。
【００２０】
また、ＤＭＰ１ａは、制御用マイコン１６から出力された映像信号に基づく映像を表示するディスプレイ１１（映像表示手段）と、制御用マイコン１６から出力された音声信号に基づく音声を出力するスピーカ１２（音声出力手段）と、ＤＭＰ１ａの各種の動作を操作するリモコン５と、リモコン５から送信された信号を受光し、制御用マイコン１６へ出力するリモコン信号受信部１５とをさらに備える。
【００２１】
制御用マイコン１６は、ネットワークインタフェース１３が受信したコンテンツを再生する再生手段と、カメラ４により撮影されたユーザの顔画像とユーザ情報に含まれる各ユーザの顔画像とを対応させてユーザの照合を行うユーザ照合手段と、ユーザ照合手段による照合が済んだユーザの中から、優先順位情報に基いて優先順位の最も高いユーザを判断する優先順位判断手段として機能する。また、制御用マイコン１６は、カメラ４の撮影可能範囲からユーザが消えたときに、ユーザが移動したことを検知する移動検知手段と、ユーザが視聴していたコンテンツについてのコンテンツ情報を生成するコンテンツ情報生成手段としても機能する。
【００２２】
ＤＭＰ１ｂは、図４に示すように、カメラを備えていないこと以外は、前出の図３に示したＤＭＰ１ａと同じ構成である。
【００２３】
次に、上述した優先順位情報について、図５、及び図６を参照して説明する。図５は優先順位情報の一例を示し、図６は優先順位情報の別の例を示す。図５に示すように、優先順位情報６は、ユーザナンバー（Ｎｏ．）６１、ユーザ名６２、優先順位６３、及びその他６４を有するものである。また、図６に示すように、優先順位情報７も、前出の図５に示した優先順位情報６と同様に、ユーザナンバー（Ｎｏ．）７１、ユーザ名７２、優先順位７３、及びその他７４を有するものである。優先順位情報６では、妻、子供、夫の順に優先順位６３が高いのに対して、優先順位情報７では、夫、妻、子供の順に優先順位７３が高い。なお、優先順位情報６、７は、ＤＭＰ１ａ、１ｂの使用状況に応じて任意の順番に設定することが可能であり、また、ユーザナンバー６１、７１、及びユーザ名６２、７２も、任意の値に設定することが可能である。
【００２４】
次に、上述したコンテンツ情報について、図７を参照して説明する。図７は、コンテンツ情報８の一例を示す。図７に示すように、コンテンツ情報８は、ユーザナンバー（Ｎｏ．）８１、ユーザ名８２、コンテンツＩＤ８３（ＩＤ情報），コンテンツ名８４、コンテンツの前回の再生停止位置を示すリスタートポイント８５（再生停止位置情報）、及びその他８６を有するものである。図７に示したリスタートポイント８５は、コンテンツ再生開始位置からの経過時間を示している。しかし、これに限られず、リスタートポイントはコンテンツ再生開始位置からのコンテンツデータのポインタを示すものであってもよい。
【００２５】
次に、ユーザの移動を検知したときのＤＭＰ１ａの処理について、図８を参照して説明する。ＤＭＰ１ａの制御用マイコン１６は、カメラ４の撮影可能範囲からユーザが消えたことにより、ユーザが移動したことを検知すると（Ｓ１）、ユーザが視聴していたコンテンツの再生を停止すると共に、このコンテンツについてのコンテンツ情報を生成した後（Ｓ２）、このコンテンツ情報をＤＭＳ３に送信し（Ｓ３）、処理を終了する。
【００２６】
次に、ユーザの移動先に配されたＤＭＰ１ａの処理について、図９を参照して説明する。まず、ＤＭＰ１ａの制御用マイコン１６は、カメラ４がユーザの顔を撮影すると（Ｓ１１）、ＤＭＳ３から送信されたユーザ情報を、ネットワークインタフェース１３を用いて受信した後（Ｓ１２）、このユーザ情報に含まれる各ユーザの顔画像とカメラ４により撮影されたユーザの顔画像とに基いてユーザを照合する（Ｓ１３）。そして、ＤＭＰ１ａの制御用マイコン１６は、照合が終了したユーザの中から、優先順位情報に基いて、優先順位の最も高いユーザを判断し（Ｓ１４）、この判断の結果、優先順位の最も高いユーザについてのコンテンツ情報と、このコンテンツ情報に対応するコンテンツとを、ＤＭＳ３から受信する（Ｓ１５）。そして、ＤＭＰ１ａの制御用マイコン１６は、受信したコンテンツとコンテンツ情報に含まれる再生停止位置情報とに基いて、このコンテンツの前回の再生停止位置からコンテンツを再生する（Ｓ１６）。
【００２７】
具体的には、ＤＭＰ１ａのＨＤＤ１８に記録されている優先順位情報が、前出の図５に示した優先順位情報６であるとすると、カメラ４が妻、子供、及び夫の３人の顔画像を撮影した場合、ＤＭＰ１ａの制御用マイコン１６は、優先順位６３の最も高いユーザは妻であると判断する。そのため、妻についてのコンテンツ情報と、このコンテンツ情報に対応するコンテンツとを受信し、再生停止位置情報に基いてコンテンツを再生する。
【００２８】
上記のように、本実施形態に係るＤＭＰ１ａによれば、ユーザが移動したことを検知したときに、ユーザが視聴していたコンテンツの再生を停止すると共に、このコンテンツについてのコンテンツ情報を生成した後、このコンテンツ情報をＤＭＳ３に送信する。これにより、ユーザが部屋を移動することにより再生を停止されたコンテンツを、別のＤＭＰ１ａ、１ｂを用いて再生停止位置から再生する場合、別のＤＭＰ１ａ、１ｂが、このコンテンツを識別するためのＩＤ情報とこのコンテンツの再生停止位置情報とを含むコンテンツ情報をＤＭＳ３から受信することにより、同じコンテンツを続きから再生することができる。そのため、ユーザは、別のＤＭＰ１ａ、１ｂを用いて同じコンテンツを続きから再生する際の手間を軽減することができる。
【００２９】
また、ＤＭＳ３から受信した各ユーザの顔画像とカメラ４により撮影されたユーザの顔画像とに基いてユーザを照合し、この照合が終了したユーザの中から、優先順位の最も高いユーザを判断する。そして、この判断の結果、優先順位の最も高いユーザのコンテンツ情報とこのコンテンツ情報に対応するコンテンツとをＤＭＳ３から受信して、前回のコンテンツの再生停止位置からコンテンツを再生する。これにより、複数のユーザに共用されているＤＭＰ１ａを用いてコンテンツを続きから再生する場合に、コンテンツの再生を排他的に制御することができる。
【００３０】
次に、ＤＭＰ１ｂの電源をオフしたときの処理について、図１０を参照して説明する。まず、ユーザがリモコン５を操作することにより、電源部１４をオフ状態にすると（Ｓ２１）、ＤＭＰ１ｂの制御用マイコン１６は、ユーザが視聴していたコンテンツについてのコンテンツ情報を生成した後（Ｓ２２）、このコンテンツ情報をＤＭＳ３に送信し（Ｓ２３）、処理を終了する。
【００３１】
次に、ＤＭＰ１ｂの電源をオンしたときの処理について、図１１を参照して説明する。
まず、ユーザがリモコン５を操作することにより、電源部１４をオン状態にすると（Ｓ３１）、ＤＭＰ１ｂの制御用マイコン１６は、ＤＭＰ１ｂのＨＤＤ１８に記録された優先順位情報の中から優先順位の最も高いユーザを判断し（Ｓ３２）、この判断の結果、優先順位の最も高いユーザについてのコンテンツ情報と、このコンテンツ情報に対応するコンテンツとを、ＤＭＳ３から受信する（Ｓ３３）。そして、ＤＭＰ１ｂの制御用マイコン１６は、受信したコンテンツとコンテンツ情報に含まれる再生停止位置情報とに基いて、このコンテンツの再生停止位置からコンテンツを再生する（Ｓ３４）。
【００３２】
具体的には、ＤＭＰ１ｂのＨＤＤ１８に記録されている優先順位情報が、前出の図６に示した優先順位情報７であるとすると、夫がＤＭＰ１ｂの電源をオン状態にしたとき、ＤＭＰ１ｂの制御用マイコン１６は、優先順位７３の最も高いユーザは夫であるので、夫についてのコンテンツ情報と、このコンテンツ情報に対応するコンテンツとをＤＭＳ３から受信し、再生停止位置情報に基いてコンテンツを再生する。一方、妻、又は子供がＤＭＰ１ｂの電源をオン状態にしたときであっても、ＤＭＰ１ｂの制御用マイコン１６は、優先順位７３が最も高いユーザは夫であるため、夫についてのコンテンツ情報に対応するコンテンツの再生を行う。なお、ＤＭＰ１ｂのＨＤＤ１８には、優先順位情報を記録しないで、ＤＭＰ１ｂを使用するユーザ名だけを記録するものであっても良い。つまり、上記例の場合、ＤＭＰ１ｂのＨＤＤ１８には、ユーザ名として夫の名前だけが記録されているものでもよい。
【００３３】
上記のように、本実施形態に係るＤＭＰ１ｂによれば、電源をオフ状態にされたとき、ユーザが視聴していたコンテンツについてのコンテンツ情報を生成した後、このコンテンツ情報をＤＭＳ３に送信する。これにより、ユーザが部屋を移動することにより再生を停止されたコンテンツを、別のＤＭＰ１ａ、１ｂを用いて再生停止位置から再生する場合、別のＤＭＰ１ａ、１ｂが、このコンテンツを識別するためのＩＤ情報とこのコンテンツの再生停止位置情報とを含むコンテンツ情報をＤＭＳ３から受信することにより、同じコンテンツを続きから再生することができる。そのため、ユーザは、別のＤＭＰ１ａ、１ｂを用いて同じコンテンツを続きから再生する際の手間を軽減することができる。
【００３４】
また、ＤＭＰ１ｂによれば、電源をオン状態にされたとき、優先順位情報の中から優先順位の最も高いユーザを判断し、この判断の結果、優先順位の最も高いユーザのコンテンツ情報とこのコンテンツ情報に対応するコンテンツとをＤＭＳ３から受信して、前回のコンテンツの再生停止位置からコンテンツを再生する。これにより、複数のユーザに共用されているＤＭＰ１ｂを用いてコンテンツを続きから再生する場合、コンテンツの再生を排他的に制御することができる。
【００３５】
なお、本発明は、上記実施形態の構成に限られず、発明の趣旨を変更しない範囲で種々の変形が可能である。
【図面の簡単な説明】
【００３６】
【図１】本発明の一実施形態に係るＤＭＰとＤＭＳとを含むコンテンツ再生システムの外観を示す傾斜図。
【図２】上記ＤＭＳの内部構成を示すブロック図。
【図３】上記ＤＭＰの内部構成を示すブロック図。
【図４】上記ＤＭＰの変形例の内部構成を示すブロック図。
【図５】上記ＤＭＰのＨＤＤに記録された優先順位情報の例を示す図。
【図６】上記ＤＭＰのＨＤＤに記録された優先順位情報の変形例を示す図。
【図７】上記ＤＭＳのＨＤＤに記録されたコンテンツ情報の例を示す図。
【図８】上記ＤＭＰにおけるユーザの移動を検知したときの処理を示すフローチャート。
【図９】ユーザの移動先に配されたＤＭＰの処理を示すフローチャート。
【図１０】上記ＤＭＰにおける電源をオフしたときの処理を示すフローチャート。
【図１１】上記ＤＭＰにおける電源をオンしたときの処理を示すフローチャート。
【符号の説明】
【００３７】
１ａ  ＤＭＰ（コンテンツ再生装置）
１ｂ  ＤＭＰ（コンテンツ再生装置）
３  ＤＭＳ（サーバ）
４  カメラ
１１  ディスプレイ（映像表示手段）
１２  スピーカ（音声出力手段）
１３  ネットワークインタフェース（コンテンツ情報送信手段、受信手段）
１６  制御用マイコン（制御手段、再生手段、ユーザ照合手段、優先順位判断手段、移動検知手段、コンテンツ情報生成手段）
１８  ＨＤＤ（記録手段）
３３  ネットワークインタフェース（送信手段）
３２  ＨＤＤ（記録手段）
【図１】
2007288556.tif 000003
【図２】
2007288556.tif 000004
【図３】
2007288556.tif 000005
【図４】
2007288556.tif 000006
【図５】
2007288556.tif 000007
【図６】
2007288556.tif 000008
【図７】
2007288556.tif 000009
【図８】
2007288556.tif 000010
【図９】
2007288556.tif 000011
【図１０】
2007288556.tif 000012
【図１１】
2007288556.tif 000013